(57)【特許請求の範囲】
【請求項１】
平面視で四角形又は略四角形になっている構造体を有し、この構造体の内側に、上に乗って歩行する又は立つための歩行用部材が配置され、この歩行用部材が、この歩行用部材の下側に配置されていて前記構造体に結合されているベース体によって支持されている建物付設物において、
前記ベース体に、幅方向が上下方向となっていて長さ方向が水平方向又は略水平方向となって延びている延出部が形成され、この延出部の前記長さ方向が、前記構造体の前記四角形又は略四角形のそれぞれの辺部に対して傾斜角をなす方向となっており、
前記ベース体は、板状となっているベース部材を含んで形成され、前記延出部は、前記ベース部材の上下方向へ折り曲げられた折り曲げ部になっており、
前記折り曲げ部は下側へ折り曲げられており、この折り曲げ部が形成された前記ベース部材は上段のベース部材であり、前記ベース体は、前記上段のベース部材と、この上段のベース部材よりも下側の位置であって横側にずれた位置に配置されている下段のベース部材とを含んで形成され、前記上段のベース部材の上と前記下段のベース部材の上とに前記歩行用部材が載せられているとともに、前記折り曲げ部は前記下段のベース部材によって支持されており、
前記構造体は廻り階段を形成しており、前記歩行用部材はこの廻り階段の踏み板部材であり、
前記下段のベース部材は、前記廻り階段の前記四角形又は略四角形のそれぞれの前記辺部を形成する第１〜４部材のうち、第１部材と、この第１部材に隣接する第２部材とに結合され、前記上段のベース部材は、前記第２部材と、この第２部材に隣接する部材となっていて前記第１部材と対向して配置された第３部材とに結合され、かつ、前記四角形又は略四角形の４個の角部のうち、前記第２部材と前記第３部材とによって形成される角部の位置は、前記廻り階段の廻り中心部の位置に対して対角線の位置となっており、前記廻り階段には、前記上段のベース部材を前記廻り階段の廻り中心部の位置及びこの位置の周辺部において支持するための部材が配置されていないことを特徴とする建物付設物。
【請求項２】
請求項１に記載の建物付設物において、前記下段のベース部材による前記折り曲げ部の支持は、これらの下段のベース部材と折り曲げ部とが結合されることによって行われていることを特徴とする建物付設物。
【請求項３】
請求項１に記載の建物付設物において、前記下段のベース部材による前記折り曲げ部の支持は、この折り曲げ部が前記下段のベース部材に載せられることによって行われていることを特徴とする建物付設物。
【請求項４】
請求項１〜３のいずれかに記載の建物付設物において、前記下段のベース部材も板状となっており、この下段のベース部材と前記上段のベース部材は、これらのベース部材の上に載せられている前記歩行用部材の下面全体又は下面略全体を支持していることを特徴とする建物付設物。
【発明の詳細な説明】
【技術分野】
【０００１】
本発明は、建物に付設配置される建物付設物に係り、例えば、集合住宅等の建物の外部に設置される外階段や外廊下、バルコニ、さらには建物の内部に設置される非常階段を含む室内階段等に利用できるものである。
【背景技術】
【０００２】
建物に付設配置される建物付設物となっているバルコニは、一般に平面視で四角形又は略四角形の構造体を有する構造になっているとともに、下記の特許文献１に示されているように、この構造体の内側には、上に乗って歩行する又は立つための歩行用部材になっているデッキ部材が配置され、このデッキ部材は、デッキ部材の下側に配置されていて、上記構造体に結合されているベース体となっている根太によって支持されている。
【特許文献１】特願２００６−７０５２０
【発明の開示】
【発明が解決しようとする課題】
【０００３】
平面視で四角形又は略四角形の構造体を有する構造になっているバルコニでは、ベース体である根太等の部材の他に、外部荷重等の作用によって上記構造体が平面視で菱形状に変形することを防止するために、従来、ターンバックル等によるブレースを用いることが行われ、このため、使用する部材点数が多くなる。このようなことは、平面視で四角形又は略四角形の構造体を有する構造になっている、例えば、集合住宅等の建物の外部に設置される外階段や外廊下、バルコニ、さらには、建物の内部に設置される非常階段を含む室内階段等についても生ずる。
【０００４】
本発明の目的は、歩行用部材を支持するベース体がブレースを兼ねることになり、これによって部材点数の削減を図ることができるようになる建物付設物を提供するところにある。
【課題を解決するための手段】
【０００５】
本発明に係る建物付設物は、平面視で四角形又は略四角形になっている構造体を有し、この構造体の内側に、上に乗って歩行する又は立つための歩行用部材が配置され、この歩行用部材が、この歩行用部材の下側に配置されていて前記構造体に結合されているベース体によって支持されている建物付設物において、前記ベース体に、幅方向が上下方向となっていて長さ方向が水平方向又は略水平方向となって延びている延出部が形成され、この延出部の前記長さ方向が、前記構造体の前記四角形又は略四角形のそれぞれの辺部に対して傾斜角をなす方向となっていることを特徴するものである。
【０００６】
この建物付設物では、歩行用部材の下側に配置されていて、平面視で四角形又は略四角形になっている構造体に結合されているベース体には、幅方向が上下方向となっていて長さ方向が水平方向又は略水平方向となって延びている延出部が形成されており、この延出部の長さ方向は、構造体の四角形又は略四角形のそれぞれの辺部に対して傾斜角をなす方向となっているため、ベース体の延出部は、構造体が平面視で菱形状に変形することを防止するためのブレースとしての役割りを担うことになり、このため、ベース体はブレースを兼ねることになり、それだけ使用する部材点数の削減を図ることができるようになる。
【０００７】
以上の本発明において、上記四角形又は略四角形は、正方形又は略正方形でもよく、長方形又は略長方形でもよい。
【０００８】
また、上述の延出部は、下方向を幅方向とするもの、言い換えると、ベース体の本体部から下方向へ突出するものでもよく、上方向を幅方向とするもの、言い換えると、ベース体の本体部から上方向へ突出するものでもよく、ベース体の本体部から下方向と上方向との両方に突出するものでもよい。
【０００９】
また、延出部をベース体に設けるための方策は任意であり、一つの例は、ベース体の本体となる部材に、延出部となる部材を溶接又はボルト等の結合具で結合することであり、他の例は、ベース体を、板状となっているベース部材を含んで形成されたものとし、延出部を、このベース部材の上下方向へ折り曲げられた折り曲げ部とすることである。
【００１０】
後者の例によると、板状のベース部材に上下方向へ折り曲げられた折り曲げ部を設けることにより、ベース体の延出部を形成することができるため、この延出部を容易にベース体に設けることができる。この場合において、折り曲げ方向は、下側でもよく、上側でもよく、下側へ折り曲げられた折り曲げ部と上側へ折り曲げられた折り曲げ部とを上記ベース部材に設けてもよい。
【００１１】
また、ベース部材に下側へ折り曲げられた折り曲げ部が形成される場合には、この折り曲げ部が形成されたベース部材を上段のベース部材とし、上述のベース体を、この上段のベース部材と、この上段のベース部材よりも下側の位置であって横側にずれた位置に配置された下段のベース部材とを含んで形成し、上段のベース部材の上と下段のベース部材の上とに前述した歩行用部材を載せるとともに、上段のベース部材の折り曲げ部を下段のベース部材によって支持させてもよい。
【００１２】
これによると、上段のベース部材の折り曲げ部は下段のベース部材によって支持されることになるため、上段のベース部材が板状の部材になっていて、この上段のベース部材の上に載せられている歩行用部材の重量やこの歩行用部材の上に載る人の重量が上段のベース部材に作用しても、この上段のベース部材が下側へ撓み変形することを下段のベース部材によって防止することができる。
【００１３】
なお、下段のベース部材による上段のベース部材の折り曲げ部の支持は、これらの下段のベース部材と折り曲げ部とを結合することによって行ってもよく、あるいは、折り曲げ部を下段のベース部材に載せることによって行ってもよく、これらの両方によって行ってもよい。
【００１４】
さらに、上段のベース部材だけではなく、下段のベース部材も板状としてもよい。このように上段のベース部材と下段のベース部材を共に板状とする場合には、これらの下段のベース部材と上段のベース部材により、これらのベース部材の上に載せられる歩行用部材の下面全体又は下面略全体を支持するようにしてもよい。
【００１５】
これによると、それぞれのベース部材により、これらのベース部材の上に載せられる歩行用部材の支持を有効に行えることになる。
【００１６】
本発明は、平面視で四角形又は略四角形になっている構造体を有している任意な建物付設物に適用することができ、この建物付設物は、例えば、集合住宅等の建物の外部に設置される外階段や外廊下、バルコニ、さらには建物の内部に設置される非常階段を含む室内階段等であり、上記外階段及び上記室内階段には、全体が廻り階段となっている階段と、一部が廻り階段となっている階段とが含まれる。
【００１７】
本発明が、全体が廻り階段となっている階段又は一部が廻り階段となっている階段に適用され、前述の構造体が廻り階段を形成している場合には、前述の歩行用部材はこの廻り階段の踏み板部材となる。
【００１８】
このように構造体が廻り階段を形成している場合であって、前述したように、上段のベース部材の折り曲げ部を下段のベース部材によって支持する場合には、下段のベース部材を、廻り階段の前記四角形又は略四角形のそれぞれの辺部を形成する第１〜４部材のうち、第１部材と、この第１部材に隣接する第２部材とに結合し、上段のベース部材を、第２部材と、この第２部材に隣接する部材となっていて第１部材と対向して配置された第３部材とに結合し、かつ、前記四角形又は略四角形の４個の角部のうち、第２部材と第３部材とによって形成される角部の位置を、廻り階段の廻り中心部の位置に対して対角線の位置とし、廻り階段には、上段のベース部材を廻り階段の廻り中心部の位置及びこの位置の周辺部において支持するための部材を配置しないこととしてもよい。
【００１９】
これによると、上段のベース部材を、第２部材と、この第２部材に隣接する部材となっていて第１部材と対向して配置された第３部材とに結合し、四角形又は略四角形の４個の角部のうち、第２部材と第３部材とによって形成される角部の位置が、廻り階段の廻り中心部の位置に対して対角線の位置となっていて、廻り階段には、上段のベース部材を廻り階段の廻り中心部の位置及びこの位置の周辺部において支持するための部材を、廻り階段の構造の複雑化等の理由のために配置しなくても、上段のベース部材の折り曲げ部は下段のベース部材によって支持され、この下段のベース部材は、第１部材と、この第１部材に隣接する第２部材とに結合されているため、上段のベース部材を下段のベース部材を利用して有効に支持させることができる。
【発明の効果】
【００２０】
本発明によると、歩行用部材を支持するベース体がブレースを兼ねることになり、これによって部材点数の削減を図ることができるという効果を得られる。
【発明を実施するための最良の形態】
【００２１】
以下に本発明を実施するための形態を図面に基づいて説明する。本実施形態に係る建物付設物は、集合住宅の外部に設置される外階段である。
【００２２】
図１は、この外階段の平面図であり、図２は、図１のＳ２矢視図であり、図３は、図１のＳ３矢視図である。これらの図に示されているように、この外階段は、６本の柱１〜６を含んで形成され、これらの柱１〜６のうち、図１で示されている４本の柱３〜６によって囲まれている部分が、外階段のうち、平面視で四角形又は略四角形の構造体となっている廻り階段２０の部分である。この廻り階段２０には、第１直線階段２１の上端と第２直線階段２２の下端とが接続されており、これらの直線階段２１と２２は９０度又は略９０度の角度をなしている。また、柱１と２は、第１直線階段２１の下端に立設されている。
【００２３】
第１直線階段２１は、本実施形態に係る外階段が設置されている仕上げコンクリート１９（図２及び図３を参照）から廻り階段２０まで昇降するための階段になっており、また、第２直線階段２２は、廻り階段２０から、本実施形態に係る外階段が外部に設置されている前記集合住宅の外廊下まで昇降するための階段になっている。
【００２４】
図１に示されているとおり、第１直線階段２１は、廻り階段２０の廻り内側のささら桁部材２３と、廻り階段２０の廻り外側のささら桁部材２４とを構成部材として構成され、ささら桁部材２３は柱１と柱３との間に配置され、ささら桁部材２４は柱２と柱４との間に配置されている。また、第２直線階段２２は、廻り階段２０の廻り内側のささら桁部材２５と、廻り階段２０の廻り外側のささら桁部材２６とを構成部材として構成され、ささら桁部材２５は、柱３と、前記外廊下に設置されている図示外の柱との間に配置され、ささら桁部材２６は、柱５と、前記外廊下に設置されている図示外の柱との間に配置されている。
【００２５】
さらに、廻り階段２０は、この廻り階段２０の廻り外側に配置された第１梁部材２７及び第２梁部材２８を構成部材として構成され、第１梁部材２７は、柱４と柱６との間に配置されているとともに、この第１梁部材２７は、第１直線階段２１を形成する廻り階段２０の廻り外側のささら桁部材２４の廻り階段２０側への延長方向に配置されており、また、第２梁部材２８は、柱５と柱６との間に配置されているとともに、この第２梁部材２８は、第２直線階段２２を形成する廻り階段２０の廻り外側のささら桁部材２６の廻り階段２０側への延長方向に配置されている。
【００２６】
廻り階段２０の廻り内側には、平面視Ｌ字形状であって、箱形状となっている廻り内側部材２９が配置され、この廻り内側部材２９よりも外側の位置に、言い換えると、この廻り内側部材２９よりも廻り階段２０から遠い位置であって、廻り階段２０の廻り内側の位置に、柱１〜６のうち、廻り階段２０の廻り内側に配置された柱３が立設されている。
【００２７】
なお、廻り内側部材２９は、平面視Ｌ字形状の１個の箱形状部材としてもよく、第１直線階段２１と第２直線階段２２に対応して２個製造された箱形状部材の組み合わせによって形成してもよい。
【００２８】
図１に示されているように、廻り階段２０には、３段の段部Ａ〜Ｃが設けられ、これらの段部Ａ〜Ｃにより、本実施形態に係る廻り階段２０は、図１において、左廻りに昇るようになっている。また、最下位段部Ａは２個の踏み板部材３１，３２で形成され、中位段部Ｂも２個の踏み板部材３３，３４で形成され、最上位段部Ｃも２個の踏み板部材３５，３６で形成されている。本実施形態における歩行用部材となっているこれらの踏み板部材３１〜３６は、廻り階段２０の廻り方向に並べられている。また、第１直線階段２１のそれぞれの段部は、これらの段部ごとに１個配置された踏み板部材３７で形成され、第２直線階段２２のそれぞれの段部も、これらの段部ごとに１個配置された踏み板部材３８で形成されている。そして、第１直線階段２１の上端は、廻り階段２０の最下位段部Ａに接続され、第２直線階段２２の下端は、廻り階段２０の最上位段部Ｃに接続されている。
【００２９】
第１直線階段２１のそれぞれの踏み板部材３７同士の間には、蹴込み板部材が配置され、第２直線階段２２のそれぞれの踏み板部材３８同士の間にも、蹴込み板部材が配置されている。
【００３０】
廻り階段２０の最下位段部Ａでの歩行向きは第１直線階段２１の向きと一致し、廻り階段２０の最上位段部Ｃでの歩行向きは第２直線階段２２の向きと一致している。このため、最下位段部Ａでの歩行向きと最上位段部Ｃでの歩行向きとは、９０度又は略９０度の角度をなしている。
【００３１】
なお、本実施形態では、図１に示すとおり、廻り階段２０の最下位段部Ａを形成して踏み板部材３１と、第１直線階段２１のそれぞれの段部を形成している複数の踏み板部材３７のうち、最上位段部の踏み板部材３７Ａとの間には、歩行方向の寸法である幅寸法が小さい張り出し踏み板部材３９が配置され、踏み板部材３１と同じ高さ位置に配置されているこの張り出し踏み板部材３９と、踏み板部材３７Ａとの間に、上下方向に延びる蹴込み板部材が配置されている。また、廻り階段２０の最上位段部Ｃを形成して踏み板部材３５，３６と、第２直線階段２２のそれぞれの段部を形成している複数の踏み板部材３８のうち、最下位段部の踏み板部材３８Ａとの間にも、歩行方向の寸法である幅寸法が小さい張り出し踏み板部材４０が配置され、踏み板部材３５，３６と同じ高さ位置に配置されているこの張り出し踏み板部材４０と、踏み板部材３８Ａとの間に、上下方向に延びる蹴込み板部材が配置されている。
【００３２】
図１〜図３に示されているように、廻り階段２０には、第１及び第２梁部材２７，２８ごとに設けられた手摺り７と、第１及び第２梁部材２７，２８の外面を覆う化粧部材８とが配置され、第１直線階段２１にも、ささら桁部材２３，２４ごとに設けられた手摺り９と、ささら桁部材２３，２４の外面を覆う化粧部材１０とが配置され、第２直線階段２２にも、ささら桁部材２５，２６ごとに設けられた手摺り１１と、ささら桁部材２５，２６の外面を覆う化粧部材１２とが配置されている。
【００３３】
図４は、廻り階段２０の踏み板部材３１〜３６、手摺り７、化粧部材８と、第１直線階段２１の踏み板部材３７、手摺り９、化粧部材１０と、第２直線階段２２の踏み板部材３８、手摺り１１、化粧部材１２と、前述した廻り内側部材２９と、張り出し踏み板部材３９，４０と、を省略して示した本実施形態に係る外階段の平面図である。
【００３４】
この図４で示されているように、廻り階段２０にはベース体５０が配置され、このベース体５０の上に、廻り階段２０のそれぞれの段部Ａ〜Ｃを形成する全部の踏み板部材３１〜３６の下面全体又は下面略全体が載せられ、これにより、踏み板部材３１〜３６がベース体５０によって支持されている。また、ベース体５０は、廻り階段２０のそれぞれの段部Ａ〜Ｃごとに設けられた３個のベース部材５１〜５３の組み合わせで形成され、それぞれの段部Ａ〜Ｃの高さの差に対応した上下の段差をもって配置されているこれらのベース部材５１〜５３は、厚板による板金の折り曲げ品である。
【００３５】
廻り階段２０の第１梁部材２７にはＬ字形状ブラケット５４，５５が取り付けられ、ブラケット５４には、最下位段部Ａのベース部材５１における第１梁部材２７側の端部が載せられて結合支持され、ブラケット５５には、中位段部Ｂのベース部材５２における第１梁部材２７側の端部が載せられて結合支持されている。また、廻り階段２０の第２梁部材２８にはＬ字形状ブラケット５６，５７が取り付けられ、ブラケット５６には、中位段部Ｂのベース部材５２における第２梁部材２８側の端部が載せられて結合され、ブラケット５７には、最上位段部Ｃのベース部材５３における第２梁部材２８側の端部が載せられて結合支持されている。
【００３６】
また、廻り階段２０における第１直線階段２１側の端部には、この第１直線階段２１と直交又は略直交して配置された第１横架部材５８が設けられ、廻り階段２０における第２直線階段２２側の端部にも、この第２直線階段２２と直交又は直交して配置された第２横架部材５９が設けられている。そして、最下位段部Ａのベース部材５１における第１直線階段２１側の端部は、第１横架部材５８に載せられて結合支持され、最上位段部Ｃのベース部材５３における第２直線階段２２側の端部は、第２横架部材５９に載せられて結合支持されている。
【００３７】
以上のブラケット５４〜５７へのベース部材５１〜５３の結合支持及び横架部材５８，５９へのベース部材５１，５３の結合支持は、ブラケット５４〜５７とベース部材５１〜５３及び横架部材５８，５９とベース部材５１，５３をそれぞれボルト等の結合具９０で結合することによって行われている。
【００３８】
また、後述するように、中位段部Ｂのベース部材５２におけるベース部材５１側の端部は、下側へ折り曲げられてベース部材５１に支持されており（図１５を参照）、最上位段部Ｃのベース部材５３におけるベース部材５２側の端部は、下側へ折り曲げられてベース部材５２に支持されている（図１６を参照）。
【００３９】
このため、ベース部材５１〜５３によって構成されるベース体５０の全周又は略全周は、廻り階段２０の廻り内側の部分を除き、廻り階段２０の周囲を形成している第１及び第２梁部材２７，２８と第１及び第２横架部材５８，５９とによって支持されているとともに、このベース体５０を構成するベース部材５１〜５３のうち、ベース体５０の全周又は略全周の部分となっていないベース部材５２におけるベース部材５１と隣接する部分及びベース部材５３におけるベース部材５２と隣接する部分は、これらのベース部材５２，５３よりも下段のベース部材であるベース部材５１，５２によって支持されている。
【００４０】
なお、これらのベース部材５１〜５３は、後述の図１５及び図１６で説明するように、ボルト等の結合具で結合されているが、これらのベース部材５１〜５３を予め溶接等で結合一体化された組み立て品としてもよい。
【００４１】
また、図４で示されているとおり、第１直線階段２１のささら桁部材２３，２４には、第１直線階段２１の踏み板部材３７の両端部が載せられて結合支持されるブラケット４１が取り付けられ、第２直線階段２２のささら桁部材２５，２６にも、第２直線階段２２の踏み板部材３８の両端部が載せられて結合支持されるブラケット４２が取り付けられている。
【００４２】
図５は、図４で示されているベース体５０を省略して示した本実施形態に係る外階段の平面図である。また、図６は、図５で示されている廻り階段２０と第１直線階段２１との接続箇所を示す図である。そして、図７は、図６のＳ７−Ｓ７線断面図である。図６に示されているように、柱３と４にはＬ字形状ブラケット６０，６１が結合され、これらのブラケット６０，６１には、第１直線階段２１のささら桁部材２３，２４の上端部が結合具６２で結合されているとともに、第１横架部材５８も結合具６３で結合されている。また、ブラケット６０，６１には、第１横架部材５８よりも第１直線階段２１側に配置された水平部材６４が結合具６３で結合され、図７に示されているように、第１横架部材５８と互いに背中合わせで結合具６５によって結合されているこの水平部材６４の上面に、図１で説明した張り出し踏み板部材３９が載せられて結合支持される。
【００４３】
なお、第１直線階段２１のささら桁部材２３，２４の下端部は、図１で示されている柱１，２に図示外のブラケットによって結合されている。
【００４４】
図８は、図５で示されている廻り階段２０の第１梁部材２７と第２梁部材２８との接続箇所を示す図であり、図９は、図８のＳ９−Ｓ９線断面図である。図６及び図８で示されているとおり、柱４と６にはＬ字形状ブラケット６６，６７が結合され、これらのブラケット６６，６７には、廻り階段２０の第１梁部材２７の両端部が結合具６８で結合されている。
【００４５】
図１０は、図５で示されている廻り階段２０の廻り外側における廻り階段２０と第２直線階段２２との接続箇所を示す図であり、図１１は、図１０のＳ１１−Ｓ１１線断面図である。図８及び図１０で示されているとおり、柱６と５にはＬ字形状ブラケット６９，７０が結合され、これらのブラケット６９，７０には、廻り階段２０の第２梁部材２８の両端部が結合具７１で結合されている。
【００４６】
また、図６及び図１０で示されているとおり、柱３と５にはＬ字形状ブラケット７２，７３が結合され、これらのブラケット７２，７３には、第２直線階段２２のささら桁部材２５，２６の下端部が結合具７４で結合されているとともに、前述した第２横架部材５９も結合具７５で結合されている。また、ブラケット７２，７３には、第２横架部材５９よりも第２直線階段２２側に配置された水平部材７６が結合具７５で結合され、図１１に示されているように第２横架部材５９と互いに背中合わせで結合具７７によって結合されているこの水平部材７６の上面に、図１で説明した張り出し踏み板部材４０が載せられて結合支持される。
【００４７】
なお、図６のＳ１２−Ｓ１２線断面図は図１２に示されている。この図１２に示されているように、図１で示されている廻り階段２０における第１直線階段２１側の第１横架部材５８と第２直線階段２２側の第２横架部材５９との間には、廻り階段２０の３段の段部Ａ〜Ｃの高さの差に相当する上下の段差が存在する。
【００４８】
また、図１で説明した廻り内側部材２９は、図１２で示されているように、上下方向の長さを有しており、この上下方向の長さは、階段部２０の３段の段部Ａ〜Ｃの高さの差を超えるものであり、また、前述したとおり平面視がＬ字の箱形状に形成されているこの廻り内側部材２９は、柱３に第１直線階段２１のささら桁部材２３や第１横架部材５８を結合している前記ブラケット６０と、柱３に第２直線階段２２のささら桁部材２５や第２横架部材５９を結合している前記ブラケット７２とを覆うもの、言い換えると、これらのブラケット６０，７２を隠すものとなっている（図１も参照）。
【００４９】
図１３は、廻り階段２０の第１梁部材２７を示す図５のＳ１３−Ｓ１３線断面図であり、図１４は、廻り階段２０の第２梁部材２８を示す図５のＳ１４−Ｓ１４線断面図である。図１３に示されているように、第１梁部材２７に取り付けられている前述したＬ字形状ブラケット５４とＬ字形状ブラケット５５との間には、上下の段差が存在し、また、図１４に示されているように、第２梁部材２８に取り付けられている前述したＬ字形状ブラケット５６とＬ字形状ブラケット５７との間にも、上下の段差が存在し、Ｌ字形状ブラケット５５とＬ字形状ブラケット５６との間には、上下の段差は存在しない。
【００５０】
図１５は、ブラケット５４と５５に、前述した板金の折り曲げ品となっているベース部材５１と５２を結合具９０で結合支持させた状態を示し、図１６は、ブラケット５６と５７に、板金の折り曲げ品となっているベース部材５２と５３を結合具９０で結合支持させた状態を示している。
【００５１】
図１５で示されているように、ベース部材５１は、ブラケット５４と第１横架部材５８との上に載せられた水平の本体部５１Ａと、この本体部５１Ａにおけるベース部材５２側の端部に設けられ、本体部５１Ａから立ち上がった立上部５１Ｂとからなる。また、図１５及び図１６で示されているように、ベース部材５２は、ブラケット５５と５６の上に載せられた水平の本体部５２Ａと、この本体部５２Ａにおけるベース部材５１側の端部から下側へ折れ曲がり、ベース部材５１の本体部５１Ａまで達する延出部５２Ｂと、本体部５２Ａにおけるベース部材５３側の端部に設けられ、本体部５２Ａから立ち上がった立上部５２Ｃとからなる。さらに、図１６で示されているように、ベース部材５３は、ブラケット５７と第２横架部材５９との上に載せられた水平の本体部５３Ａと、この本体部５３Ａにおけるベース部材５２側の端部から下側へ折れ曲がり、ベース部材５２の本体部５２Ａまで達する延出部５３Ｂとからなる。
【００５２】
これらの立上部５１Ｂ，５２Ｃ、及び折り曲げ部となっている延出部５２Ｂ，５３Ｂは、幅方向が上下方向となっていて長さ方向が水平方向又は略水平方向となっているものであり、この長さ方向は、平面視で四角形又は略四角形の構造体となっている廻り階段２０のそれぞれの辺部を形成している前述の第１及び第２梁部材２７，２８及び水平部材６４，７６に対して傾斜角をなす方向になっている。
【００５３】
また、図１５に示されているとおり、ベース部材５２の折り曲げ部になっている延出部５２Ｂは、このベース部材５２よりも下段となっているベース部材５１の本体部５１Ａの上に載せられているとともに、この延出部５２Ｂは、ベース部材５１の立上部５１Ｂにボルト等の結合具９１で結合されている。このため、延出部５２Ｂはベース部材５１によって支持されている。さらに、図１６に示されているとおり、ベース部材５３の折り曲げ部になっている延出部５３Ｂは、このベース部材５３よりも下段となっているベース部材５２の本体部５２Ａの上に載せられているとともに、この延出部５３Ｂは、ベース部材５２の立上部５２Ｃにボルト等の結合具９２で結合されている。このため、延出部５３Ｂはベース部材５２によって支持されている。
【００５４】
以上のベース部材５１〜５３の上に前述した廻り階段２０の踏み板部材３１〜３６が載せられることにより、踏み板部材３１と３２によって廻り階段２０の図１で示した最下位段部Ａが、踏み板部材３３と３４によって廻り階段２０の中位段部Ｂが、踏み板部材３５と３６によって廻り階段２０の最上位段部Ｃが、それぞれ形成される。
【００５５】
そして、このように廻り階段２０のそれぞれの段部Ａ〜Ｃが形成されたとき、図１５で示したベース部材５２の延出部５２Ｂは、最下位段部Ａと中位段部Ｂとの間の蹴込み板部材となり、図１６で示したベース部材５３の延出部５３Ｂは、中位段部Ｂと最上位段部Ｃとの間の蹴込み板部材となる。
【００５６】
廻り階段２０の踏み板部材３１〜３６、第１直線階段２１の踏み板部材３７、第２直線階段２２の踏み板部材３８及び前述した張り出し踏み板部材３９，４０は、これらの踏み板部材３１〜４０が載せられた部材に結合されており、この結合構造は図１７及び図１８に示されており、図１７は、踏み板部材の平面図であり、図１８は、図１７のＳ１８−Ｓ１８線断面図である。そして、これらの図１７と図１８は、それぞれの踏み板部材３１〜４０の代表例として、廻り階段２０の踏み板部材３１の場合を示している。
【００５７】
コンクリート等を主成分とし、比較的大きな厚さを有するものとなっている踏み板部材３１の内部には、踏み板部材３１の一方の端部から他方の端部まで連通している空洞部８０が設けられており、この空洞部８０まで達する孔８１が踏み板部材３１の下面に形成されている。空洞部８０にはナット８２が挿入され、このナット８２は、空洞部８０に対して回り止めとなる多角形状に形成された本体部８２Ａと、この本体８２Ａから孔８１側へ突出した凸部８２Ｂとを有する。また、ナット８２には板ばね部材８３が結合され、この板ばね部材８３には、ナット８２の本体部８２Ａにおける凸部８２Ｂ側とは反対側の面と対面する対面部８３Ａが設けられている。
【００５８】
ナット８２を踏み板部材３１のどちらか一方の端部から空洞部８０に挿入し、この空洞部８０内を指によってナット８２を押して移動させ、ナット８２が孔８１の位置に達すると、ナット８２の凸部８２Ｂは、板ばね部材８３の対面部８３Ａのばね力によって孔８１に嵌合することになり、これにより、ナット８２は、踏み板部材３１の所定位置に位置決め配置されることになる。
【００５９】
踏み板部材３１が上に載せられていてこの踏み板部材３１を支持する部材となっているベース部材５１には、図１８で示されているように、ボルト８４の軸部８４Ａが挿入される孔８５が形成されており、ナット８２の個数と対応する２個形成されているそれぞれの孔８５に、それぞれのボルト８４の軸部８４Ａをベース部材５１の下方から挿入し、ボルト８４を回転させることにより、踏み板部材３１は、ベース部材５１にボルト８４とナット８２で結合されることになる。
【００６０】
本実施形態では、図１に示されているように、廻り階段２０の廻り内側に１本配置された前記柱３と、廻り階段２０の段部Ａ〜Ｃを形成している踏み板部材３１〜３６との間のスペースには、前述した平面視Ｌ字形状の廻り内側部材２９が配置されており、このため、この廻り内側部材２９は、このスペースを埋めるためのスペーサとなっている。このようにスペーサとなっている廻り内側部材２９は、柱３に図示外のブラケット等で取り付けられており、この取り付けは、図６及び図１２で示されているブラケット６０，７２を利用して行ってもよい。
【００６１】
なお、本実施形態では柱３と廻り内側部材２９は別部材となっているが、柱３の代わりの柱として、柱３と廻り内側部材２９とを一体化した平面視四角形又は略四角形の柱を用いてもよい。
【００６２】
図１９は、ベース体５０の構成部材となっているそれぞれのベース部材５１〜５３を２点鎖線で記入した図５と同様の図である。廻り階段２０は、平面視で四角形又は略四角形の構造体になっており、この構造体では、前述した水平部材６４と第１及び第２梁部材２７，２８と水平部材７６が、平面視で四角形又は略四角形のそれぞれの辺部Ｄ〜Ｇを形成する部材となっており、第１辺部Ｄは水平部材６４で形成され、第２辺部Ｅは第１梁部材２７で形成され、第３辺部Ｆは第２梁部材２８で形成され、第４辺部Ｇは水平部材７６で形成されている。
【００６３】
また、水平部材６４は上記構造体の第１部材であり、第１梁部材２７は上記構造体の第２部材であり、第２梁部材２８は上記構造体の第３部材であり、水平部材７６は上記構造体の第４部材である。
【００６４】
本実施形態では、前述の説明から分かるように、ベース体５０を形成しているベース部材５１〜５３は、ブラケット５４〜５７と第１及び第２横架部材５８，５９を介して水平部材６４と第１及び第２梁部材２７，２８と水平部材７６に結合されており、これらの水平部材６４と第１及び第２梁部材２７，２８と水平部材７６は、平面視で四角形又は略四角形の構造体を構成する第１〜４部材となっているため、ベース部材５１〜５３はこの構造体に結合されていることになる。
【００６５】
そして、ベース部材５２，５３には、前述したように、折り曲げ部である延出部５２Ｂ，５３Ｂが上下方向の幅寸法を有して形成され、これらの延出部５２Ｂ，５３Ｂの長さ方向は、図１９から分かるように、構造体のそれぞれの辺部Ｄ〜Ｇに対して傾斜角をなす方向であるため、上記構造体となっている廻り階段２０に外部荷重等が作用し、この外部荷重等によって廻り階段２０が平面視で菱形状に変形しようとしても、延出部５２Ｂ，５３Ｂは、この変形に対して抵抗するブレースとして機能することになる。
【００６６】
これらの延出部５２Ｂ，５３Ｂは、踏み板部材３１〜３６を上に載せて支持するためのベース体５０を形成するものであるため、上記ブレースは、このベース体５０によって形成されていることになり、このため、本実施形態によると、部材の兼用化が図られていることになり、別途ブレースを用意する必要がないため、使用する部材点数を削減することができる。
【００６７】
また、延出部５２Ｂ，５３Ｂは、板金製のベース部材５２，５３の端部の折り曲げによって形成された折り曲げ部になっているため、ブレースとなる延出部５２Ｂ，５３Ｂを容易に形成することができる。
【００６８】
さらに、それぞれのベース部材５１〜５３は、図１で示されている踏み板部材３１〜３６の下面全体又は下面略全体を支持する大きな面積を有しているため、これらのベース部材５１〜５３が板金製となっていても、ベース部材５１〜５３によって踏み板部材３１〜３６を有効に支持することができる。
【００６９】
さらに、最下位段部のベース部材５１よりも上段のベース部材５２に設けられている延出部５２Ｂは、図１５で説明したように、ベース部材５２よりも下段のベース部材５１の本体部５１Ａに載せられているとともに、この延出部５２Ｂは、ベース部材５１の立上部５１Ｂに結合具９１で結合されているため、この延出部５２Ｂは、ベース部材５１によって支持されていることになる。このため、ベース部材５１が板金で形成されていても、ベース部材５２の上に載せられている踏み板部材３３，３４の重量やこれらの踏み板部材３３，３４の上に乗る人の重量によりベース部材５２が下側に撓み変形することを、ベース部材５１によって防止することができる。
【００７０】
また、中位段部のベース部材５２よりも上段のベース部材５３に設けられている延出部５３Ｂは、図１６で説明したように、ベース部材５３よりも下段のベース部材５２の本体部５２Ａに載せられているとともに、この延出部５３Ｂは、ベース部材５２の立上部５２Ｃに結合具９２で結合されているため、この延出部５３Ｂは、ベース部材５２によって支持されていることになる。このため、ベース部材５３も板金で形成されていても、ベース部材５３の上に載せられている踏み板部材３５，３６の重量やこれらの踏み板部材３５，３６の上に乗る人の重量によりベース部材５３が下側に撓み変形することを、ベース部材５２によって防止することができる。
【００７１】
さらに、本実施形態では、ベース部材５１は、廻り階段２０の四角形又は略四角形のそれぞれの辺部Ｄ〜Ｇを形成する第１〜４部材となっている水平部材６４と第１及び第２梁部材２７，２８と水平部材７６のうち、第１部材になっている水平部材６４と、この第１部材に隣接する第２部材になっている第１梁部材２７とに結合され、ベース部材５２は、第２部材になっている第１梁部材２７と、この第２部材に隣接する部材となっていて第１部材と対向して配置された第３部材になっている第２梁部材２８とに結合され、かつ、上記四角形又は略四角形の４個の角部のうち、前記第２部材と前記第３部材とによって形成される角部の位置は、廻り階段２０の廻り中心部の位置に対して対角線の位置となっており、廻り階段２０には、ベース部材５２を廻り階段２０の廻り中心部の位置及びこの位置の周辺部において支持するための部材が配置されていないが、ベース部材５２には、上述したように、ベース部材５１によって支持される延出部５２Ｂが設けられているため、このベース部材５２の支持を、第１及び第２梁部材２７，２８と、水平部材６４及び第１梁部材２７で支持されたベース部材５１とにより、有効に行えることになる。
【００７２】
言い換えると、廻り階段２０の廻り中心部の位置及びこの位置の周辺部は、上下の大きな段差がある部分となっているため、複雑な構造になり、このため、廻り階段２０の廻り中心部の位置及びこの位置の周辺部には、ベース部材５２を支持するための部材を配置することはできないが、本実施形態では、ベース部材５２の支持を、第１及び第２梁部材２７，２８と、水平部材６４及び第１梁部材２７で支持されたベース部材５１とによって行っているため、ベース部材５２の支持を有効に行えることになる。
【００７３】
また、本実施形態によると、廻り階段２０の床下部分には、言い換えるとベース部材５１〜５３の下側部分には、これらのベース部材５１〜５３とは別の部材になっているブレースや根太を配置する必要がないため、安全性の向上と外観性の改善とを図ることができる。
【００７４】
なお、以上説明した実施形態では、廻り階段２０のベース体５０は３個のベース部材５１〜５３で形成され、ベース部材５２，５３の延出部５２Ｂ，５３Ｂが廻り階段２０のブレースになっているため、ブレースの個数が２個となっていたが、ベース体５０を形成するベース部材の個数を３個以外等とすることにより、ブレースの個数を１個又は３個以上の個数としてもよく、また、ベース体を形成するベース部材の配置位置の設定等により、ブレースの延出方向を、図１９で示されている方向とは異なる任意な方向に設定してもよい。
【００７５】
また、ベース部材の延出部によるブレースの延出方向を、廻り階段２０の４本の柱３〜６のうち、対角線位置に配置されている柱３と柱６の柱芯間又は柱芯近傍間を繋ぐ方向や、対角線位置に配置されている柱４と柱５の柱芯間又は柱芯近傍間を繋ぐ方向としてもよく、これによると、ベース部材の延出部をブレースとしている廻り階段２０の強度を一層向上させることができる。
【００７６】
さらに、図１９で示されているように、平面視で四角形又は略四角形の構造体になっている廻り階段２０の第１部材である水平部材６４とベース部材５２の延出部５２Ｂとがなす角度と、ベース部材５２の延出部５２Ｂとベース部材５３の延出部５３Ｂとがなす角度と、ベース部材５３の延出部５３Ｂと廻り階段２０の第４部材である水平部材７６とがなす角度のそれぞれを、同じ又は略同じ大きさの角度とすることが好ましく、これによると、これらの水平部材６４と延出部５２Ｂ、５３Ｂと水平部材７６とによって支持する荷重の大きさを均等化又は略均等化することができる。
【産業上の利用可能性】
【００７７】
本発明は、平面視で四角形又は略四角形の構造体を有する、例えば、集合住宅等の建物の外階段や外廊下、バルコニ、さらには建物の内部の非常階段を含む室内階段等に利用すすることができる。
【図面の簡単な説明】
【００７８】
【図１】図１は、本発明の一実施形態に係る建物付設物となっている集合住宅のための外階段を示す平面図である。
【図２】図２は、図１のＳ２矢視図である。
【図３】図３は、図１のＳ３矢視図である。
【図４】図４は、図１で示されている廻り階段と第１直線階段と第２直線階段を形成する踏み板部材等を省略して示した図１と同様の図である。
【図５】図５は、図４で示されているベース体を省略して示した図１と同様の図である。
【図６】図６は、図５で示されている廻り階段と第１直線階段との接続箇所を示す図である。
【図７】図７は、図６のＳ７−Ｓ７線断面図である。
【図８】図８は、図５で示されている廻り階段の第１梁部材と第２梁部材との接続箇所を示す図である。
【図９】図９は、図８のＳ９−Ｓ９線断面図である。
【図１０】図１０は、図５で示されている廻り階段の廻り外側における廻り階段と第２直線階段の接続箇所を示す図である。
【図１１】図１１は、図１０のＳ１１−Ｓ１１線断面図である。
【図１２】図１２は、図６のＳ１２−Ｓ１２線断面図である。
【図１３】図１３は、廻り階段の第１梁部材を示す図５のＳ１３−Ｓ１３線断面図である。
【図１４】図１４は、廻り階段の第２梁部材を示す図５のＳ１４−Ｓ１４線断面図である。
【図１５】図１５は、ベース体を形成するベース部材を廻り階段の第１梁部材にブラケットを介して結合支持させた状態を示す図１３と同様の図である。
【図１６】図１６は、ベース体を形成するベース部材を廻り階段の第２梁部材にブラケットを介して結合支持させた状態を示す図１４と同様の図である。
【図１７】図１７は、踏み板部材とこの踏み板部材が載せられた部材との結合構造を示すための踏み板部材の平面図である。
【図１８】図１８は、図１７のＳ１８−Ｓ１８線断面図である。
【図１９】ベース体を２点鎖線で記入した図５と同様の図である。
【符号の説明】
【００７９】
２０  廻り階段
２１  第１直線階段
２２  第２直線階段
２７  第２部材である第１梁部材
２８  第３部材である第２梁部材
３１〜３６  歩行用部材である踏み板部材
５０  ベース体
５１〜５３  ベース部材
５２Ｂ，５３Ｂ  折り曲げ部である延出部
６４  第１部材である水平部材
７６  第２部材である水平部材
Ｄ〜Ｇ  平面視で四角形又は四角形のそれぞれの辺部
【図１】
0005144234.tif 000002
【図２】
0005144234.tif 000003
【図３】
0005144234.tif 000004
【図４】
0005144234.tif 000005
【図５】
0005144234.tif 000006
【図６】
0005144234.tif 000007
【図７】
0005144234.tif 000008
【図８】
0005144234.tif 000009
【図９】
0005144234.tif 000010
【図１０】
0005144234.tif 000011
【図１１】
0005144234.tif 000012
【図１２】
0005144234.tif 000013
【図１３】
0005144234.tif 000014
【図１４】
0005144234.tif 000015
【図１５】
0005144234.tif 000016
【図１６】
0005144234.tif 000017
【図１７】
0005144234.tif 000018
【図１８】
0005144234.tif 000019
【図１９】
0005144234.tif 000020